(57)【要約】      （修正有）【課題】筆記用具であるボールペンやシャープペンシルさらに、その他のペン類などの、それらの本体の一部分に鏡を取り付けて、外出している時、必要となる携帯用の鏡。【解決手段】筆記用具であるボールペンやシャープペンシルさらに、その他のペン類などの、それらの本体の一部分に、例えば、クリップ部分２や中央部分に鏡１を取り付ける。また、筒付きの多角形や円形の板に鏡１を取り付けて、それを例えばボールペンの一端に被せる。このようなことにより、筆記用具であるそれらと鏡１が一体化され、これによって衣服のポケットや手提げ鞄などに自然なかたちで、常備されるので携帯用の鏡として役立つ。【選択図】図１
0003107314.tif 000002
【実用新案登録請求の範囲】
【請求項１】
筆記用具であるボールペンやシャープペンシルさらに、その他のペン類などの、それらの本体の一部分に鏡を取り付けた、鏡付きペン。
【考案の詳細な説明】
【技術分野】
【０００１】  本考案は、本体の一部分に鏡を取り付けた、ボールペンやシャープペンシルさらに、その他のペン類などに関するのもである。
【背景技術】
【０００２】  外出している時、顔や髪形などに少し気を使い鏡を必要とする場合、鏡を手持ちの化粧バッグから取り出していた。鏡を携帯していない場合は、鏡のある場所まで移動していた。
【考案の開示】
【考案が解決しようとする課題】
【０００３】  目元や口元、または、髪などに異物の付着や形くずれが生じた時、そのつど、手直しのために鏡を化粧バッグから取り出すことは、手間が掛かり面倒である。まして、鏡のある場所へ移動するようなことは、時間的、労働的に負担である。従って常に身近に存在している筆記用具であるボールペンやシャープペンシルさらに、その他のペン類などの機能と鏡の機能を一体化することにより、事が生じた時、その場所で手軽に対応が可能となり前述の欠点を解決しようとするものである。
【課題を解決するための手段】
【０００４】  本考案は、筆記用具であるボールペンやシャープペンシルさらに、その他のペン類などの、それらの本体の一部分である、例えば図１で見るように、鏡１をボールペン本体３のクリップ部分２に取り付ける。このようにすることで、筆記用具であるそれらと鏡が一体化となり、問題点を解決している。
【考案の効果】
【０００５】  本考案の鏡付きペンは、筆記用具でもあるから、ものを書くことは勿論のこと、それ故に、いつも手近なところに存在しており、しかも鏡が取り付けてあることから、いつどこでも手軽に鏡を使用できる。なお、本考案の特徴は二つの機能が一体化しているため衣服のポケットや手提げ鞄などに自然なかたちで確実に鏡を携帯できることであり、携帯用の鏡として役立つ。
【考案を実施するための最良の形態】
【０００６】  例えば図１、図２で見るように鏡１を、多角形または円形の板状にしたボールペン本体３のクリップ部分２に、接着剤または、機械的手段で取り付ける。クリップ部分２は、曲げの力が作用するため、鏡１は弾性体で出来ているもの、例えば表面を鏡のように加工して、仕上げた金属板などが望ましい。なお、本考案において鏡１を取り付ける実施態様としては、図１、図２のようなものの他に次のようなものがある。
▲１▼  図３、図４および図５で見るように、鏡１を、多角形または、円形の蓋板４付きにしたクリップ部分２に、接着剤または、機械的手段で取り付ける方法。
▲２▼  図６、図７で見るよに鏡１を、筒６付きの多角形や円形の板７に接着剤または、機械的手段で取り付けて、例えばボールペン本体３の一端に被せる方法。
▲３▼  図８で見るように鏡１を、ボールペンで、すでに本体３の中央部分８が凹形で、蓋板４付きに出来あがっているものに、その中へ接着剤または、機械的手段で取り付ける方法。
▲４▼  弾性体で出来ている鏡を、多角形または、円形の板状にして、それ自体を例えば、ボールペン本体３のクリップ部分２に兼用するようにして、ボールペン本体３に機械的手段で取り付ける方法。
などがある。
【実施例】
【０００７】  例えば図１から図５に見るものは、多角形または円形の板状にしたボールペン本体３のクリップ部分２に、それらの形に合った板状の鏡１を接着剤または、機械的手段で取り付ける。【０００８】  前記の図３、図４のクリップ部分２は、その片方にピン５にて枢着した蓋板４が開閉自在となる。【０００９】  前記の図５のクリップ部分２は、クリップ部分２の横長の二つの淵を抱え込むようにした、片方に滑り止めのある蓋板４が上下に動くことで開閉自在となる。【００１０】  図６、図７に見るものは、淵に筒６が付いている多角形や円形の板７に、それらの形に合った板状の鏡１を接着剤または、機械的手段で取り付けて、それを、例えばボールペンの一端に被せて装着、離脱が自在となる。【００１１】  本考案は、上述の如きの構成から成るものであるから筆記用具としての、ものを書くものに使用することは勿論のことであるが、クリップ部分２を見たり、また、それぞれの蓋板４を開くことで携帯用の鏡として使用できる。
【図面の簡単な説明】
【００１２】  ボールペンによる、本考案の実施例としての場合について示してみる。【図１】鏡とクリップ部分が多角形の斜視図と、クリップ部分のＡ−Ａに沿った切断面図および、鏡の斜視図である。
【図２】鏡とクリップ部分が円形の斜視図である。
【図３】鏡とクリップ部分が多角形で蓋板が開いている斜視図である。
【図４】鏡とクリップ部分が円形で蓋板が開いている斜視図である。
【図５】鏡とクリップ部分が多角形で蓋板が上に水平移動して、開いている斜視図である。
【図６】鏡が、筒付きの多角形の板に取り付けられて、ボールペン本体の一端に被せた斜視図である。
【図７】鏡が、筒付きの円形の板に取り付けられて、ボールペン本体の一端に被せた斜視図である。
【図８】鏡が、中央部分の凹形の中に取り付けられ蓋板が開いている斜視図である。
【符号の説明】
【００１３】１  鏡
２  クリップ部分
３  ボールペン本体
４  蓋板
５  ピン
６  筒
７  板
８  中央部分
【図１】
0003107314.tif 000003
【図２】
0003107314.tif 000004
【図３】
0003107314.tif 000005
【図４】
0003107314.tif 000006
【図５】
0003107314.tif 000007
【図６】
0003107314.tif 000008
【図７】
0003107314.tif 000009
【図８】
0003107314.tif 000010
【手続補正書】
【提出日】平成16年7月9日(2004.7.9)
【手続補正１】
【補正対象書類名】明細書
【補正対象項目名】補正の内容のとおり
【補正方法】変更
【補正の内容】
0003107314.tif 000011
0003107314.tif 000012
0003107314.tif 000013
0003107314.tif 000014
0003107314.tif 000015
【手続補正書】
【提出日】平成16年10月15日(2004.10.15)
【手続補正２】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
筆記用具であるボールペンやシャープペンシルさらに、その他のペン類などの、それらの本体の一部分に鏡を取り付けた、鏡付きペン。
【手続補正３】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【技術分野】
【０００１】  本考案は、本体の一部分に鏡を取り付けた、ボールペンやシャープペンシルさらに、その他のペン類などに関するものである。
【背景技術】
【０００２】  外出している時、顔や髪形などに少し気を使い鏡を必要とする場合、鏡を手持ちの化粧バッグから取り出していた。鏡を携帯していない場合は、鏡のある場所まで移動していた。
【考案の開示】
【考案が解決しようとする課題】
【０００３】  目元や口元、または、髪などに異物の付着や形くずれが生じた時、そのつど、手直しのために鏡を化粧バッグから取り出すことは、手間が掛かり面倒である。まして、鏡のある場所へ移動するようなことは、時間的、労働的に負担である。従って常に身近に存在している筆記用具であるボールペンやシャープペンシルさらに、その他のペン類などの機能と鏡の機能を一体化することにより、事が生じた時、その場所で手軽に対応が可能となり前述の欠点を解決しようとするものである。
【課題を解決するための手段】
【０００４】  本考案は、筆記用具であるボールペンやシャープペンシルさらに、その他のペン類などの、それらの本体の一部分である、例えば図１で見るように、鏡１をボールペン本体３のクリップ部分２に取り付ける。このようにすることで、筆記用具であるそれらと鏡が一体化となり、問題点を解決している。
【考案の効果】
【０００５】  本考案の鏡付きペンは、筆記用具でもあるから、ものを書くことは勿論のこと、それ故に、いつも手近なところに存在しており、しかも鏡が取り付けてあることから、いつどこでも手軽に鏡を使用できる。なお、本考案の特徴は二つの機能が一体化しているため衣服のポケットや手提げ鞄などに自然なかたちで確実に鏡を携帯できることであり、携帯用の鏡として役立つ。
【考案を実施するための最良の形態】
【０００６】  例えば図１、図２で見るように鏡１を、多角形または円形の板状にしたボールペン本体３のクリップ部分２に、接着剤または、機械的手段で取り付ける。クリップ部分２は、曲げの力が作用するため、鏡１は弾性体で出来ているもの、例えば表面を鏡のように加工して、仕上げた金属板などが望ましい。なお、本考案において鏡１を取り付ける実施態様としては、図１、図２のようなものの他に次のようなものがある。
▲１▼  図３、図４および図５で見るように、鏡１を、多角形または、円形の蓋板４付きにしたクリップ部分２に、接着剤または、機械的手段で取り付ける方法。
▲２▼  図６、図７で見るように鏡１を、筒６付きの多角形や円形の板７に接着剤または、機械的手段で取り付けて、例えばボールペン本体３の一端に被せる方法。
▲３▼  図８で見るように鏡１を、ボールペンで、すでに本体３の中央部分８が凹形で、蓋板４付きに出来あがっているものに、その中へ接着剤または、機械的手段で取り付ける方法。
▲４▼  弾性体で出来ている鏡を、多角形または、円形の板状にして、それ自体を例えば、ボールペン本体３のクリップ部分２に兼用するようにして、ボールペン本体３に機械的手段で取り付ける方法。
▲５▼  鏡１を、片方が封じられている筒付きの多角形や円形の板状にしたクリップ部分２に接着剤または、機械的手段で取り付けて、例えばボールペン本体３の一端に被せる方法。などがある。
【実施例】
【０００７】  例えば図１から図５に見るものは、多角形または円形の板状にしたボールペン本体３のクリップ部分２に、それらの形に合った板状の鏡１を接着剤または、機械的手段で取り付ける。【０００８】  前記の図３、図４のクリップ部分２は、その片方にピン５にて枢着した蓋板４が開閉自在となる。【０００９】  前記の図５のクリップ部分２は、クリップ部分２の横長の二つの淵を抱え込むようにした、片方に滑り止めのある蓋板４が上下に動くことで開閉自在となる。【００１０】  図６、図７に見るものは、淵に筒６が付いている多角形や円形の板７に、それらの形に合った板状の鏡１を接着剤または、機械的手段で取り付けて、それを、例えばボールペンの一端に被せて装着、離脱が自在となる。【００１１】  本考案は、上述の如きの構成から成るものであるから筆記用具としての、ものを書くものに使用することは勿論のことであるが、クリップ部分２を見たり、また、それぞれの蓋板４を開くことで携帯用の鏡として使用できる。
【図面の簡単な説明】
【００１２】  ボールペンによる、本考案の実施例としての場合について示してみる。【図１】鏡とクリップ部分が多角形の斜視図と、クリップ部分のＡ−Ａに沿った切断面図および、鏡の斜視図である。
【図２】鏡とクリップ部分が円形の斜視図である。
【図３】鏡とクリップ部分が多角形で蓋板が開いている斜視図である。
【図４】鏡とクリップ部分が円形で蓋板が開いている斜視図である。
【図５】鏡とクリップ部分が多角形で蓋板が上に水平移動して、開いている斜視図である。
【図６】鏡が、筒付きの多角形の板に取り付けられて、ボールペン本体の一端に被せた斜視図である。
【図７】鏡が、筒付きの円形の板に取り付けられて、ボールペン本体の一端に被せた斜視図である。
【図８】鏡が、中央部分の凹形の中に取り付けられ蓋板が開いている斜視図である。
【符号の説明】
【００１３】  １  鏡
２  クリップ部分
３  ボールペン本体
４  蓋板
５  ピン
６  筒
７  板
８  中央部分